(57)【要約】      （修正有）【課題】屋根や雨樋の放射性物質類の除染作業による汚水除染や、自然雨水中の放射性物質の除染、廃棄が容易に行える放射性物質除染濾過器を提供する。【解決手段】屋根の洗浄や自然雨水中に含まれる放射性物質を、雨樋縦樋を流下する途中で吸着する濾過器Ｆである。本体の側面に開閉可能に設けられた開閉蓋３１と、前記本体内に、放射性物質を吸着除去する濾材を収納設置する支持手段２４と、前記本体内における前記濾材の上方に設けられ、前記本体の内縁部側から内側に向かって傾斜するように下方に延出し、前記本体内を流下する雨水を濾材に滴下する雨水分散手段２３と、を備えた。この濾過器Ｆは、雨樋縦樋の任意の箇所を切断除去した箇所に嵌合され、放射性物質を吸着する濾材４１のみを開閉蓋３１の開閉により容易に交換、廃棄できる。【選択図】図１
0003189912.tif 000002
【実用新案登録請求の範囲】
【請求項１】
雨樋縦樋の任意箇所を切断除去し嵌合配接される放射性物質除染濾過器であって、この濾過器内の交換可能な濾材によって屋根の洗浄排水、自然雨水に含まれる放射性物質を吸着するようにしたことを特徴とする放射性物質除染濾過器。
【請求項２】
前記放射性物質除染濾過器側面に開閉自在の蓋が設けられ、蓋の開閉により濾過器内の放射性物質を吸着する濾材のみを容易に交換できる、請求項１に記載の放射性物質除染濾過器。
【請求項３】
前記放射性物質除染濾過器下部の上端内縁部は、放射性物質を吸着する濾材を設置する支持部が一体形成され、濾材を固定配置する、請求項１乃至２に記載の放射性物質除染濾過器。
【請求項４】
前記放射性物質除染濾過器中部の上端内縁部は、雨樋内縁部を伝って流下する洗浄排水や雨水を濾過器内側下方へ誘導する突起形状を有し、少量の水量でも濾材の表面に均等に滴下する機構を備えている、請求項１に記載の放射性物質除染濾過器。
【請求項５】
前記放射性物質除染濾過器は、上流側雨樋縦樋の下端部を固定支持する支持部と、切断除去した箇所の下流側雨樋縦樋の上端部を固定支持する支持部とから一体形成されている、請求項１に記載の放射性物質除染濾過器。
【考案の詳細な説明】
【技術分野】
【０００１】  本考案は、雨樋を流れる放射性物質を除染する雨樋濾過器に関する。
【背景技術】
【０００２】  福島第１原子力発電所、同第２原子力発電所の事故により飛散した放射性物質は、近隣県を含め各地で降灰し、建築物の屋根や雨樋に付着している。【０００３】  放射性物質が降灰した建築物の屋根や雨樋の除染作業では、高圧洗浄機器によって除染作業が行われており、放射性物質を含んだ汚染水はゼオライトや紺青に吸着させて処理する手法が用いられている。【０００４】  高圧洗浄機器による屋根や雨樋の除染作業の検証結果では、放射性物質は部分的、一時的に除去されるが、除染作業後に降灰し、屋根や雨樋に付着堆積した放射性物質は、降雨によりそのまま配水管や公共下水道に垂れ流されている状況にあり、問題の根本的な解決にはなっていない。【０００５】  従来、例えば特許文献１に示される流下雨水の異物除去構造及び流下雨水の分流管構造、特許文献２に示される排水用放射性物質の捕集除去具が提案されている。特許文献１の異物除去構造は、雨樋における縦樋の途中で、上側パイプ、下側パイプを連結する上下動可能な連結パイプを上側パイプの下端には遊嵌、下側パイプには遊挿して配置し、連結パイプ下部にフィルタを取外し可能に挿入して成る。特許文献２の排水用放射性物質の捕集除去具も、雨樋における縦樋の途中で、放射性物質捕集する捕集体を上側パイプ、下側パイプを連結するリング状の嵌合体を配置し、捕集体を取外し可能に挿入して成る。
【先行技術文献】
【特許文献】
【０００６】
【特許文献１】特開平９−７８６３９号公報
【特許文献２】実用新案登録第３１７５０９７号公報
【考案の概要】
【考案が解決しようとする課題】
【０００７】  しかしながら、上述したような従来の異物除去構造、排水用放射性物質の捕集除去具は、雨樋における縦樋の中間部分に接続した構造物を取り外して交換する必要があり、雨樋パイプの接続作業に馴れた者でないと交換作業が難しい問題点もあった。【０００８】  本考案は、このような従来技術の問題点に鑑みてなされたものである。すなわち、雨樋を流下する放射性物質を含んだ汚染水を効率的に放射性物質吸着体で捕集でき、放射性物質を吸着する濾材のみの交換作業を極めて容易に行うことができる放射性物質除染雨樋濾過器の構造を提供することにある。
【課題を解決するための手段】
【０００９】  本考案の放射性物質除染雨樋濾過器の構造は、雨樋の縦樋に配接される濾過器であって、濾過器の外形は縦樋上部と嵌合する濾過器上部、濾材の交換を容易に行う開閉可能な開閉蓋を持つ濾過器中部、縦樋下部と嵌合する濾過器下部の３つの異なる外周形状であり、濾過器中部の開閉蓋を開閉することで放射性物質を除染する濾材の着脱が容易な構造であることを特徴とする。【００１０】  雨樋縦樋への配接は、縦樋の任意の箇所を切断して、切断した縦樋の上下部に雨樋濾過器を嵌合することができる構造である。雨樋濾過器上部の内縁は、切断した雨樋縦樋上部の外周縁部を囲繞する形状に形成されていて、雨樋濾過器中部の上端が雨樋縦樋上部の下端面を支持する支持部となるよう一体形成されている。雨樋濾過器下部は、切断した雨樋縦樋下部の内周内縁部に嵌め込む形状に形成されていて、雨樋濾過器中部の下端は切断した雨樋縦樋下部の上端面を支持する支持部となるよう一体形成されている。【００１１】  雨樋濾過器中部は、放射性物質を吸着する濾材の交換を容易に行う開閉蓋があり、開閉蓋の１辺は折り目が型付けされ、折り目を中心に蓋の開閉が可能になっており、開閉蓋の端部に係止部材が設けられ、雨樋濾過器中部本体に開閉蓋の係止可能な係止突起と、開閉蓋の内側には雨水が漏れることを防止するパッキンと、を備えたことを特徴とする。【００１２】  また、降雨量が少量の場合、雨樋を流下する雨水は雨樋縦樋の内縁部を伝って流下するが、本考案の放射性物質除染雨樋濾過器の構造では、装着した濾材の外縁部に集中することを防止し、濾材の表面に均一に雨水が滴下するよう、雨樋濾過器中部の上端内縁部は、下方に傾斜し内側に突出した雨水分散滴下のための突起形状を一体形成したことを特徴とする。【００１３】  また、放射性物質を吸着する濾材の着脱は、雨樋濾過器下部の上端内縁部に係止部を一体形成し、濾材の落下を防止し、着脱を容易としたことを特徴とする。
【考案の効果】
【００１４】  本考案の放射性物質除染雨樋濾過器の構造によれば、屋根や雨樋の高圧洗浄によって排水される洗浄排水や自然雨水を縦樋の任意箇所で捕集できる。また、従来の雨樋の汚染物質除去の構造では、雨樋に取り付けた構造物自体の交換作業、縦樋の接続作業が必要であるのに対し、本考案による構造では、開閉蓋の開閉により簡単に濾材の交換ができる。【００１５】  また、濾材の交換が不要な状態となっても、雨樋濾過器を取り外す必要はなく、そのまま接続した状態で雨樋として使用できる。
【図面の簡単な説明】
【００１６】
【図１】本考案の一実施の形態に係る放射性物質除染雨樋濾過器の構造断面図である。
【考案を実施するための形態】
【００１７】  図１に示すように、本考案を実施するための一形態を説明すると、一般家屋、建物に設置される雨樋を随意の箇所で切断除去した部位に、その切断除去部分に代えて雨樋濾過器Ｆを嵌め合わせ接続する。
【００１８】  一般家屋、建物に設置される雨樋は製造会社により寸法が決まっている。濾過器上部１１の内径形状は、雨樋縦樋上部Ｐ１の外径形状に一致し、濾過器下部の外径形状は、雨樋縦樋下部Ｐ２の内径形状とほぼ同一である。雨樋縦樋上部Ｐ１の下端部を濾過器上部１１の支持部２１まで嵌め込み、次に、雨樋縦樋下部Ｐ２に濾過器下部１３を支持部２２まで嵌め込み接続する。
【００１９】  放射性物質を吸着する濾材４１の着脱は、濾過器中部１２の開閉蓋３１を開き、雨樋濾過器下部１３の上端内縁部の支持部２４に濾材４１を設置する。濾材４１設置後は開閉扉３１を閉め、開閉扉３１の端にある係止部材を濾過器中部１２の係止突起に嵌め込むことで密閉される。また、開閉扉３１の内側縁部には水漏れを防ぐパッキンを施してある。
【００２０】  なお、本考案の実施の形態で示す雨樋濾過器Ｆの外形形状は、円筒状に限定されていない。雨樋縦樋の形状に合わせ、円筒状、角筒状であってもよく、雨樋の形状の範囲で任意に変更することができる。
【００２１】  濾材４１は、濾過器中部１２の内径とほぼ同一な大きさで、微少な通水孔を備えた筐体、または袋状体からなっている。濾材４１の形状は、濾過器中部１２の内径とほぼ同一な大きさの外周径を備えていればよく、例えば、袋状体では袋の外周部がリング状の樹脂で形成された円錐形の形状であってもよい。濾材４１の内部には、複数の濾材が収容されている。濾材の材料は特に限定されず、例えば、ゼオライト、紺青、珪藻土、活性炭、活性白土、活性アルミナ、シリカゲル、モレキュラシーブ等の無機質系多孔質材料のほか、その他有機質の吸着剤を使用することができる。
【００２２】  また、降雨量が少量の場合、雨樋を流下する雨水は雨樋縦樋の内縁部を伝って流下するが、雨樋濾過器Ｆの構造では、装着した濾材４１の外周部に雨水が集中することを防止し、濾材４１に均一に雨水が浸透して放射性物質の除去効果を高めるように、雨樋濾過器中部１２の上端内縁部に下方に傾斜し内側に突出した雨水分散突起２３を形成している。この雨水分散突起２３により、降雨量が少量であっても、雨水は雨樋の内縁部から強制的に濾材４１の平面に均等に滴下するようにしている。
【００２３】  図１に示した雨水分散突起２３の形状は、二等辺三角形に限定されていない。半円形、棒状形の突起、通水孔を備えた笊状であってもよく、濾材４１の表面に均一に雨水が滴下する形状の範囲で任意に変更することができる。
【００２４】  濾材４１は、使用者の任意による一定期間の設置後、開閉蓋３１を開閉するだけで容易に交換ができ、濾材４１だけを処理することができる。
【符号の説明】
【００２５】  Ｐ１  雨樋縦樋上部
Ｐ２  雨樋縦樋下部
Ｆ    雨樋濾過器
１１  濾過器上部
１２  濾過器中部
１３  濾過器下部
２１  支持部
２２  支持部
２３  雨水分散突起
２４  支持部
２５  係止突起
３１  開閉蓋
３２  係止部材
３３  パッキン
３４  折れ線
４１  濾材
【図１】
0003189912.tif 000003
【手続補正書】
【提出日】平成25年5月23日(2013.5.23)
【手続補正１】
【補正対象書類名】実用新案登録請求の範囲
【補正対象項目名】全文
【補正方法】変更
【補正の内容】
【実用新案登録請求の範囲】
【請求項１】
雨樋を構成する縦樋における上側パイプ及び下側パイプに分離した箇所に設けられる放射性物質除染濾過器であって、
前記上側パイプの下端に接続されるとともに前記下側パイプの上端に接続されるパイプ形状の本体と、
前記本体の側面に開閉可能に設けられた開閉蓋と、
前記本体内に、放射性物質を吸着除去する濾材を収納設置する支持手段と、
前記本体内における前記濾材の上方に設けられ、前記本体の内縁部側から内側に向かって傾斜するように下方に延出し、前記本体内を流下する雨水を濾材に滴下する雨水分散手段と、を備えたことを特徴とする、放射性物質除染濾過器。
【請求項２】
前記支持手段は、
前記本体の内縁部側から内側に向かって傾斜するように下方に延出する側部と、
前記側部の内側に設けられ、前記濾材を支持すると共に前記本体内を流下する雨水の通過を許容する底部と、を備えたことを特徴とする、請求項１に記載の放射性物質除染濾過器。
【請求項３】
前記支持手段は、着脱可能に設けられていることを特徴とする、請求項１乃至２に記載の放射性物質除染濾過器。
【請求項４】
前記本体、前記開閉蓋、前記支持手段、及び前記雨水分散手段の全部又は一部は、透明又は半透明な素材からなることを特徴とする、請求項１乃至３のいずれかに記載の放射性物質除染濾過器。
【請求項５】
前記本体、前記開閉蓋、前記支持手段、及び前記雨水分散手段の全部又は一部は、放射性物質を吸着する物質を含んでいる素材からなることを特徴とする、請求項１乃至４のいずれかに記載の放射性物質除染濾過器。